(57)【要約】【目的】  充分な撓み性や弾性を持った金属線材でリング形状をつくり、該形状から生まれる撓み復元力を利用して色々な物品、特に板状のキャラクター物品などを適切に挟み留め固定でき、新たなアクセサリー用途にも応用可能な新規物品保持具を提供する。【構成】  撓み性を持った１本の金属線材２を部分的な重なり合い部４を持たせながらリング形状３となし、両端足部５を近接した状態で平行に突き出し、両端部の各先端に金属線材３の撓み力を利用して相互に接触固定状態となるようなサイズ及び形状の挟み留め具６を取付け、該留め具６が開閉する範囲内において各種物品を保持できることを特徴とするリング状金属線材を利用した物品挟み留め保持具１である。【選択図】図１
2009011766.tif 000002
【特許請求の範囲】
【請求項１】
撓み性を持った１本の金属線材を部分的な重なり合い部を持たせながらリング形状となし、両端足部を近接した状態で平行に突き出し、両端部の各先端に金属線材の撓み力を利用して相互に接触固定状態となるようなサイズ及び形状の挟み留め具を取付け、該留め具が開閉する範囲内において各種物品を保持できることを特徴とするリング状金属線材を利用した物品挟み留め保持具。
【請求項２】
挟み留め具に所定幅の溝部を設けていることで、該幅の板状部材などをより的確に挟み留め保持できることを特徴とする請求項１に記載のリング状金属線材を利用した物品挟み留め保持具。
【請求項３】
平行した両端足部の長さに長短を付けることで留め具の開閉範囲を調整することを特徴とする請求項１又は請求項２に記載のリング状金属線材を利用した物品挟み留め保持具。
【請求項４】
保持すべき物品を引いた時に５ｋｇまでであれば安全確実な保持状態が確保できるように留め具部分での挟み保持力や保持構造を規制していることを特徴とする請求項１〜請求項３の何れか１つに記載のリング状金属線材を利用した物品挟み留め保持具。
【請求項５】
リング形状部分がキーホルダーやストラップなどの接続リング部材として利用できることを特徴とする請求項１〜請求項４の何れか１つに記載のリング状金属線材を利用した物品挟み留め保持具。
【発明の詳細な説明】
【技術分野】
【０００１】  この発明は、充分な撓み性や弾性を持った金属線材でリング形状をつくり、該形状から生まれる撓み復元力を利用して色々な物品、特に板状のキャラクター物品などを適切に挟み留め固定でき、新たなアクセサリー用途にも応用可能な新規物品保持具を提供しようとするものである。
【背景技術】
【０００２】  さまざまなアクセサリー類のような小物品を連結保持する仕組みとしては、例えば、連結用のチェーンやリングなどを用いるキーホルダーやストラップが存在している。
また、磁石や専用の挟み込み保持構造を用いて板状のキャラクター部材を自由に保持させる提案が出願人よりなされている。
【特許文献１】
【発明の開示】
【発明が解決しようとする課題】
【０００３】  しかし、上記したような従来のキーホルダーやストラップに用いられるチェーンや連結リング構造の場合には取付けようとするキャラクター形状などを利用した小物品側にもチェーンやリングに対しての接続構造を形成しなければならない。
また、磁石を利用したり特別な保持構造を採用した場合にも、キーホルダーやストラップに使用するキャラクター小物品として確実な保持状態を維持させるには若干の無理があり、また、より洗練したデザインでシンプルな構成のものが望ましいものではあった。
【課題を解決するための手段】
【０００４】  本発明は、上記したような従来存在していたものの問題点を検討し、より確実な小物品や板状キャラクター部材との連結関係を形成しながら、シンプルでデザイン的にも優れたものを金属線材をリング状に形成する構造を利用しながら実現したもので、具体的には以下のようなものである。【０００５】（１）撓み性を持った１本の金属線材を部分的な重なり合い部を持たせながらリング形状となし、両端足部を近接した状態で平行に突き出し、両端部の各先端に金属線材の撓み力を利用して相互に接触固定状態となるようなサイズ及び形状の挟み留め具を取付け、該留め具が開閉する範囲内において各種物品を保持できることを特徴とするリング状金属線材を利用した物品挟み留め保持具。【０００６】（２）挟み留め具に所定幅の溝部を設けていることで、該幅の板状部材などをより的確に挟み留め保持できることを特徴とする前記（１）項に記載のリング状金属線材を利用した物品挟み留め保持具。【０００７】（３）平行した両端足部の長さに長短を付けることで留め具の開閉範囲を調整することを特徴とする前記（１）項又は（２）項に記載のリング状金属線材を利用した物品挟み留め保持具。【０００８】（４）保持すべき物品を引いた時に５ｋｇまでであれば安全確実な保持状態が確保できるように留め具部分での挟み保持力や保持構造を規制していることを特徴とする前記（１）項〜（３）項の何れか１つに記載のリング状金属線材を利用した物品挟み留め保持具。【０００９】（５）リング形状部分がキーホルダーやストラップなどの接続リング部材として利用できることを特徴とする前記（１）項〜（４）項の何れか１つに記載のリング状金属線材を利用した物品挟み留め保持具。
【発明の効果】
【００１０】  撓み性を持った１本の金属線材を部分的な重なり合い部を持たせながらリング形状となし、両端足部を近接した状態で平行に突き出し、両端部の各先端に金属線材の撓み力を利用して相互に接触固定状態となるようなサイズ及び形状の挟み留め具を取付け、該留め具が開閉する範囲内において各種物品を保持できることにより、リング状金属線材の撓み力（弾力性）をシンプルかつ省スペース的に利用しながら色々な小物品を自在に挟み留め保持する用具を実現することが可能となる。【００１１】  挟み留め具に所定幅の溝部を設けていることで、該幅の板状部材などをより的確に挟み留め保持できることにより、所定厚さの板状材を利用したキャラクター物品などを専用的に確実に保持させることが可能になる。特に、この場合は留め具の開閉範囲内にあるサイズの板状キャラクター剤であれば、任意の箇所を挟み込み保持させるようなことが可能となるものである。【００１２】  平行した両端足部の長さに長短を付けることで留め具の開閉範囲を調整することにより、実際に挟み留めしようとする対象のサイズに合わせた本発明留め具の開閉範囲調節が可能となる。【００１３】  保持すべき物品を引いた時に５ｋｇまでであれば安全確実な保持状態が確保できるように留め具部分での挟み保持力や保持構造を規制していることにより、通常のキーホルダーやストラップ類に取り付ける各種キャラクター物品であれば十分に安全かつ確実な挟み留め保持が可能となる。すなわち、５ｋｇ程度までの重量負荷に対して十分対処できるものであれば、キーホルダーやストラップ類として使用する際にも、外部からの引っ張り力などがかかったとしても不都合が生じないことが理解されているのである。【００１４】  リング形状部分がキーホルダーやストラップなどの接続リング部材として利用できることにより、本発明を周知のキーホルダーやストラップ類などに応用して、従来にないキャラクター物品などの自由自在な取り付け状態を実現することが可能となる。
【発明を実施するための最良の形態】
【００１５】  上記してきたような本発明の具体的な実施態様の若干例を、とめ添付図面などを利用しながら以下説明する。
すなわち、図１は本発明の挟み留め保持具１の基本形状をその要部拡大図とともに示したものである。
ここで、金属線材２はリング形状３として曲げ加工され、重ね合わせ部４を持ちながら両端足部５を平行状態に突き出したものとされている。【００１６】  この金属線材２は例えばピアノ線などのように強靭でありながら十分な撓み性も備えたものである。平行状態に突き出した２本の足部５にはその先端に実際に各種の小物品を挟み留めするのに便利なように専用の留め具６が取り付けられている。【００１７】  留め具６はリング形状３として曲げ加工された金属線材２の十分な撓み力によって通常は強く相互に接触した状態に押し付けられており、この両留め具６、６の間を開いてそこに適宜に各種の小物品を挟み込んで保持させることが可能となるものである。【００１８】  保持させるべき小物品は比較的軽量のものが望ましく、例えばキーホルダーや携帯電話などのストラップにアクセサリー的に用いられるキャラクター製品程度のものがその重さ、サイズともに相応しいものである。ただし、本発明の保持具１では対象の小物品を自身の留め具６、６で挟み込み保持するものであるから、既存のもののようにチェーンなどとの連結関係を形成するための専用の接続構造などを小物品自体に設けておく必要はないものである。【００１９】  また、本発明保持具１での小物品保持をする場合でも確実な保持状態を維持するために小物品のどこを挟み込みすべきかを考えなければならないが、確実な保持状態ができるのであれば何処を挟み込みしても、それは利用者の自由である。【００２０】  さらに、リング状線材２の撓み力によって留め具６、６は強く押し付けられて相互に接触されているので、例えばメモ用紙のようなものを挟み込み保持させることも十分に可能である。【００２１】  また、どのくらいのサイズの小物品まで保持できるかは有効に開くことができる留め具６、６の開放範囲に依存することになるが、これは金属線材２によるリング形状３そのものの大きさや平行状態に突き出した両端足部５、５の長さを調整することで適宜に選択することが可能である。【００２２】  本発明の保持具１において、留め具６に所定幅の溝部７を形成し両留め具６、６において対向状態で両溝部７、７が向き合うように取り付けておくと、この溝部７の幅に適合した厚みを持った板状小物品をより適切に保持させることが可能となる。すなわち、このような厚みを持った板状物品はリング状金属線材２の撓み力とともに溝部７へのはめ込みによってもしっかりとした保持状態が形成されることになるからである。【００２３】  図２は、このような板状物品としてキャラクター形状を型抜きしたような特別な板状キャラクター部材８を最適に保持させるに相応しい本発明保持具１を示したものである。
この板状キャラクター材８は出願人がオリジナルに創作した製品アイディアであり、キャラクター形状そのものを型抜きしていることが特徴であり、キーホルダーやストラップなどのアクセサリーとするためのチェーンなどとの連結構造をまったく持たせていないところに特徴があるものである。【００２４】  この板状キャラクター材８をキーホルダーやストラップ的に携帯保持するためには専用の工夫が必要であり、磁石を利用するなどしなければならなかったが、本発明の保持具１によりシンプルな構造で十二分に確実な、しかも自由な形態で板状キャラクター材８保持状態が確立できるようになるのである。
すなわち、ここでの本発明保持具１はこの板状キャラクター材８を確実に保持携帯するために用いるものであるから、留め具６の溝部７の幅は板状キャラクター材８の厚さに正確に適合するようになっており、また、留め具６、６の開閉可能範囲も板状キャラクター８の任意の箇所を適切に挟み留めできることを目的としてリングサイズや足部長さを調整し決定したものとなっている。【００２５】  したがって、利用者は板状キャラクター材８を好みの方向や角度に向けた状態で適宜な保持をさせることが本発明保持具１により可能となり、また本発明保持具１のシンプルな構造によってキャラクター形状そのものを抜き出しした板状キャラクター材８の特質を損なうことのない携帯保持が可能となるようにされているのである。【００２６】  実際に板状キャラクター材８の好みの箇所を挟み込み保持させた状態を図３に示す。ここでは女性キャラクターを抱きかかえるような形で保持しているが、本発明では留め具６、６の任意は開閉可能範囲内での挟み込みが可能であるから、確実な挟み込みが可能な箇所であれば板状キャラクター材８の角度や向きを好みに応じて自由に変更できることは前述したとおりである。【００２７】  板状キャラクター材８を保持する力については、適切な挟み込み保持状態が確立された状態において、キャラクター材８に対して多様な外力がかかったとしても、それが５ｋｇ以下の力であれば十分に保持携帯が継続できるよう金属線材２の撓み力や留め具６の構造などを、各種実験を繰り返して確定している。【００２８】  この程度の外力に対抗できるのであれば、既存のキーホルダーやストラップに付属したキャラクターアクセサリー類と同等以上にしっかりした連結状態であると理解でき、それでありながら任意な交換や取り付け角度・向きの自由度が得られる本発明の優れた利点が納得できるものである。【００２９】  さらに既存の一般的なキーホルダーやストラップ類と同じような連結チェーンや携帯電話などへの接続構造を確立するには、リング形状３部分を介してこれらを行えばよく、複合的なアクセサリー類とすることも可能であることが理解されるべきである。
【産業上の利用可能性】
【００３０】  上記してきたような本発明の保持具１によれば、連結構造を持っていないがゆえに携帯保持することができなかった既存のアクセサリー的な小物品であっても携帯保持可能とすることができ、また、新規な板状アクセサリー材８についてはより自由度が高く外観上も自然な状態でデザイン性に優れた携帯保持を可能とするものである。もちろん、従来と同じようにキーホルダーやストラップ類のアクセサリーとして応用可能なものであるから、斬新かつ優れた新製品を求めているこの種の市場において注目を受けて新たな需要を導き出すものであることが明らかであり、したがって本発明は産業上の利用可能性において優れたものと結論されるものである。
【図面の簡単な説明】
【００３１】
【図１】  本発明の保持具の形状を説明した図面である。
【図２】  板状キャラクター材を挟み込み保持する仕組みを説明した図面である。
【図３】  実際に板状キャラクター材を保持した状態の１例を示した図面である。
【符号の説明】
【００３２】１  本発明の保持具
２  金属線材
３  リング形状
４  重ね合わせ部
５  両端足部
６  留め具
７  溝部
８  板状キャラクター材
【図１】
2009011766.tif 000003
【図２】
2009011766.tif 000004
【図３】
2009011766.tif 000005